(57)【要約】【課題】簡易な構成で針の位置を従来よりも詳細に検出可能な回転検出装置の提供を目的とする。【解決手段】本発明の回転検出装置１０は、針６２Ｓの裏側の文字盤６２Ｂに向けて光を照射するための発光素子１１と、文字盤６２Ｂからの反射光を検出するための受光素子１２と、位置検出測定を実行する制御基板１５と、光を透過させる透過状態と光を透過させない非透過状態とに切り替え可能な材料で構成され、発光素子１１及び受光素子１２と針６２Ｓとの間に配置される遮蔽板１３と、を有する。遮蔽板１３は、針６２Ｓの回転方向で４つのセグメント１３Ｓに分割され、発光素子１１と受光素子１２は、セグメント１３Ｓ同士の境界と重ならない位置に配置される。そして、制御基板１５は、セグメント１３Ｓを透過状態と非透過状態に切り替えて複数種類の透過パターンを形成し、それぞれの透過パターンにおいて位置検出測定を実行する。【選択図】図２
2019078736.tif 000002
【特許請求の範囲】
【請求項１】
流量計に取り付けられて、流体の流量に応じて回転する針の位置を検出する回転検出装置であって、
前記針の裏側に配置された文字盤に向けて光を照射するための発光素子と、
前記文字盤からの反射光を検出するための受光素子と、
前記発光素子に光を照射させて、前記針の位置を検出するための位置検出測定を実行する測定部と、
光を透過させる透過状態と光を透過させない非透過状態とに切り替え可能な材料で構成され、前記発光素子及び前記受光素子と前記針との間に配置される遮蔽板と、を有し、
前記遮蔽板は、前記針の回転方向で３以上複数のセグメントに分割され、
前記発光素子と前記受光素子は、前記セグメント同士の境界と重ならない位置に配置され、
前記測定部は、前記針の回転方向で連続する２以上の前記セグメントが共に前記透過状態又は前記非透過状態となるように前記セグメントを前記透過状態又は前記非透過状態に設定して複数種類の透過パターンを形成し、前記複数種類の透過パターンのそれぞれにおいて前記位置検出測定を実行する回転検出装置。
【請求項２】
前記セグメントの数が２ｎ（ｎは２以上の自然数）であって、
前記測定部は、前記針の回転方向で連続するｎ個の前記セグメントが前記透過状態であって残りのｎ個の前記セグメントが前記非透過状態となる透過パターンを、前記透過状態の前記セグメントと前記非透過状態の前記セグメントの境界が同じとならないようにｎ種類形成する、請求項１に記載の回転検出装置。
【請求項３】
前記セグメントの数が４である、請求項２に記載の回転検出装置。
【請求項４】
前記複数のセグメントは、前記遮蔽板を前記針の回転方向で均等に分割してなる、請求項１乃至３のうち何れか１の請求項に記載の回転検出装置。
【請求項５】
前記測定部は、前記流量計が計測可能な最大流量の流体が流れたときの前記針の回転周期を前記複数のセグメントの総数で除した時間より短い間隔で、前記位置検出測定を実行する、請求項４に記載の回転検出装置。
【請求項６】
前記発光素子と前記受光素子とは、前記針の回転方向で１８０度離れて配置される、請求項１乃至５のうち何れか１の請求項に記載の回転検出装置。
【請求項７】
前記発光素子及び前記受光素子と前記針との間に配置される光拡散板を有する、請求項１乃至６のうち何れか１の請求項に記載の回転検出装置。
【発明の詳細な説明】
【技術分野】
【０００１】
本発明は、流量計に取り付けられて、流体の流量に応じて回転する針の位置を検出する回転検出装置に関する。
【背景技術】
【０００２】
特許文献１の回転検出装置は、発光素子から針の裏側の文字盤に向けて光を照射し、その文字盤からの反射光を受光素子で検出する。
【先行技術文献】
【特許文献】
【０００３】
【特許文献１】欧州特許公報第５４７８７９号（ＦＩＧ１，２）
【発明の概要】
【発明が解決しようとする課題】
【０００４】
特許文献１の回転検出装置では、光が照射されるポイントに針が存在するか否かが分かるだけであるため、光が１箇所に照射される場合には、照射箇所から外れた針の位置を検出することが困難であった。ここで、光の照射ポイントを移動させたり、画像認識させたりすれば、針の詳細な位置を検出可能となるが、装置が複雑になるという別の問題が生じる。
【０００５】
本発明は、上記事情に鑑みてなされたもので、簡易な構成で針の位置を従来よりも詳細に検出可能な回転検出装置の提供を目的とする。
【課題を解決するための手段】
【０００６】
上記目的を達成するためになされた請求項１の発明は、流量計に取り付けられて、流体の流量に応じて回転する針の位置を検出する回転検出装置であって、前記針の裏側に配置された文字盤に向けて光を照射するための発光素子と、前記文字盤からの反射光を検出するための受光素子と、前記発光素子に光を照射させて、前記針の位置を検出するための位置検出測定を実行する測定部と、光を透過させる透過状態と光を透過させない非透過状態とに切り替え可能な材料で構成され、前記発光素子及び前記受光素子と前記針との間に配置される遮蔽板と、を有し、前記遮蔽板は、前記針の回転方向で３以上複数のセグメントに分割され、前記発光素子と前記受光素子は、前記セグメント同士の境界と重ならない位置に配置され、前記測定部は、前記針の回転方向で連続する２以上の前記セグメントが共に前記透過状態又は前記非透過状態となるように前記セグメントを前記透過状態又は前記非透過状態に設定して複数種類の透過パターンを形成し、前記複数種類の透過パターンのそれぞれにおいて前記位置検出測定を実行する回転検出装置である。
【０００７】
請求項２の発明は、前記セグメントの数が２ｎ（ｎは２以上の自然数）であって、前記測定部は、前記針の回転方向で連続するｎ個の前記セグメントが前記透過状態であって残りのｎ個の前記セグメントが前記非透過状態となる透過パターンを、前記透過状態の前記セグメントと前記非透過状態の前記セグメントの境界が同じとならないようにｎ種類形成する、請求項１に記載の回転検出装置である。
【０００８】
請求項３の発明は、前記セグメントの数が４である、請求項２に記載の回転検出装置である。
【０００９】
請求項４の発明は、前記複数のセグメントは、前記遮蔽板を前記針の回転方向で均等に分割してなる、請求項１乃至３のうち何れか１の請求項に記載の回転検出装置である。
【００１０】
請求項５の発明は、前記測定部は、前記流量計が計測可能な最大流量の流体が流れたときに前記針の回転周期を前記複数のセグメントの総数で除した時間より短い間隔で、前記位置検出測定を実行する、請求項４に記載の回転検出装置である。
【００１１】
請求項６の発明は、前記発光素子と前記受光素子とは、前記針の回転方向で１８０度離れて配置される、請求項１乃至５のうち何れか１の請求項に記載の回転検出装置である。
【００１２】
請求項７の発明は、前記発光素子及び前記受光素子と前記針との間に配置される光拡散板を有する、請求項１乃至６のうち何れか１の請求項に記載の回転検出装置である。
【発明の効果】
【００１３】
［請求項１の発明］
本発明では、発光素子からの光が遮光板を通って文字盤に照射され、文字盤からの反射光が受光素子で検出されることで、針の位置を検出するための位置検出測定が行われる。遮光板は、光を透過させる透過状態と光を透過させない非透過状態とに切り替え可能な材料で構成され、針の回転方向で３以上複数のセグメントに分割されている。また、発光素子と受光素子は、セグメント同士の境界と重ならない位置に配置されている。そして、位置検出測定は、セグメントを透過状態又は非透過状態に設定して形成される複数種類の透過パターンについて行われる。従って、針が透過状態のセグメントと重なる場合には、受光素子によって検出される光の量が減ることになり、そのセグメントと重なる範囲内に針が存在することが分かるようになる。ここで、セグメントの縁部に針が重なる場合、該セグメントに対して時計方向で隣接するセグメントとの境界に針が重なっているのか、又は、該セグメントに対して反時計方向で隣接するセグメントとの境界に針が重なっているのか、を判別することが困難となる。しかしながら、本発明では、複数種類の透過パターンが、針の回転方向で連続する２以上のセグメントが共に透過状態又は非透過状態となるように形成されるので、針が何れかの境界と重なっているかを判別することが可能となる。このように、本発明によれば、簡易な構成を採用して、針の位置を従来よりも詳細に検出することが可能となる。
【００１４】
［請求項２，３の発明］
本発明によれば、位置検出測定の回数をセグメントの数の半分にすることが可能となる。特に、請求項３の発明のように、セグメントの数が４つであれば、位置検出測定の回数を２回にすることが可能となる。
【００１５】
［請求項４の発明］
本発明では、遮蔽板を透過する光の量が透過状態のセグメントの数に比例することになるので、文字盤に照射する光の量の制御が容易となる。
【００１６】
［請求項５の発明］
本発明では、前回の位置検出測定と今回の位置検出測定の間に針が回転できる範囲がセグメント１つ分の範囲に収まるので、セグメントの境界を跨いで針が回転したときに、その針の回転方向が時計方向と反時計方向の何れであるかを判別可能となる。即ち、本発明によれば、針の位置だけでなく針の回転方向も検出することが可能となる。
【００１７】
［請求項６の発明］
本発明では、文字盤からの反射光を受光素子に検出させ易くなる。
【００１８】
［請求項７の発明］
本発明によれば、発光素子からの光を文字盤に安定的に照射することができる。
【図面の簡単な説明】
【００１９】
【図１】回転検出装置が取り付けられる水道メータの斜視図
【図２】表示部の配置を説明するための図
【図３】（Ａ）回転検出装置の内部構造を示す断面図、（Ｂ）第１支持部と遮蔽板の配置を示す平面図
【図４】回転検出装置の電気的構成を示すブロック図
【図５】遮蔽板の（Ａ）第１の透過パターンを模式的に示す図、（Ｂ）第２の透過パターンを模式的に示す図
【図６】針の位置と各透過パターンにおける針の見え方との関係を示すテーブル
【図７】他の実施形態に係る回転検出装置における遮蔽板の透過パターンを模式的に示す図
【図８】他の実施形態に係る回転検出装置における遮蔽板の透過パターンを模式的に示す図
【図９】他の実施形態に係る回転検出装置における遮蔽板の透過パターンを模式的に示す図
【発明を実施するための形態】
【００２０】
図１には、本実施形態の回転検出装置１０が取り付けられる流量計としての水道メータ５０が示されている。水道メータ５０は、ボディ５１の下部に流入口５１Ａと流出口５１Ｂを備えている。ボディ５１の上部には、表示部６０が備えられている。表示部６０は、水道の積算使用量などが表示される表示盤であり、ガラス板５２で覆われている。回転検出装置１０は、表示部６０に上側から重なるように水道メータ５０に取り付けられる。
【００２１】
図２に示されるように、表示部６０は、積算カウンタ６１、１リットル指示部６２、１０リットル指示部６３及び通水パイロット６４を備えている。積算カウンタ６１は、水道の積算使用量を表示する。１リットル指示部６２は、０〜９までの数字が時計方向に記された円形の文字盤６２Ｂと、文字盤６２Ｂの中心を通る回転軸６２Ｊを有する針６２Ｓと、を備え、針６２Ｓは、１０リットルの通水で１回転する。１０リットル指示部６３は、０〜９までの数字が時計方向に記された円形の文字盤６３Ｂと、文字盤６３Ｂの中心を通る回転軸６３Ｊを有する針６３Ｓと、を備え、針６３Ｓは、１００リットルの通水で１回転する。通水パイロット６４は、表示部６０に垂直な回転軸６４Ｊを有し、通水に応じて回転する。なお、水道メータ５０の流入口５１Ａから流出口５１Ｂへと水が流れるとき（図１参照）、通水パイロット６４は時計方向に回転する。
【００２２】
図３（Ａ）に示されるように、回転検出装置１０は、１リットル指示部６２に対向配置され、１リットル指示部６２の文字盤６２Ｂへ向けて光を照射するための発光素子１１と、文字盤６２Ｂからの反射光を検出するための受光素子１２と、を備えている。発光素子１１と受光素子１２は、文字盤６２Ｂの周方向（即ち、針６２Ｓの回転方向）で１８０度ずれて配置され、発光素子１１と文字盤６２Ｂとの間隔は、受光素子１２と文字盤６２Ｂとの間隔と略同じになっている。
【００２３】
回転検出装置１０には、発光素子１１及び受光素子１２と１リットル指示部６２の針６２Ｓとの間に配置される遮蔽板１３が備えられている。遮蔽板１３は、例えば、液晶で構成され、光を透過する透過状態と光を透過させない非透過状態とに変化する。
【００２４】
詳細には、図３（Ｂ）に示されるように、遮蔽板１３は、文字盤６２Ｂよりも大径な円形状に形成され、文字盤６２Ｂと同心に配置される。遮蔽板１３は、針６２Ｓの回転方向で複数のセグメント１３Ｓに分割され、各セグメント１３Ｓが透過状態と非透過状態に変化する。本実施形態では、遮蔽板１３は、４つのセグメント１３Ｓに均等に分割されている。
【００２５】
ここで、４つのセグメント１３Ｓを、時計方向に並ぶ順に、第１セグメント１３Ａ、第２セグメント１３Ｂ、第３セグメント１３Ｃ、第４セグメント１３Ｄと、適宜称して区別することにすると、第１セグメント１３Ａは、その周方向の中心が文字盤６２Ｂの「０」の指標と重なる。第２セグメント１３Ｂは、その周方向の中心が文字盤６２Ｂの「２」と「３」の指標の真ん中と重なる。第３セグメント１３Ｃは、その周方向の中心が文字盤６２Ｂの「５」の指標と重なる。第４セグメント１３Ｄは、その周方向の中心が文字盤６２Ｂの「７」と「８」の指標の真ん中と重なる。なお、セグメント１３Ｓの配置は上記したものに限定されるものでなく、例えば、第１セグメント１３Ａが文字盤６２Ｂの指標の０〜２．５の範囲と重なり、第２セグメント１３Ｂが指標の２．５〜５の範囲と重なり、第３セグメント１３Ｃが指標の５〜７．５の範囲と重なり、第４セグメント１３Ｄが指標の７．５〜０の範囲と重なってもよい。
【００２６】
図３（Ａ）に示されるように、回転検出装置１０には、発光素子１１及び受光素子１２と１リットル指示部６２の針６２Ｓとの間に配置される光拡散板１４が備えられている。光拡散板１４は、表面が粗面となった透明な板材で構成され、発光素子１１から照射される光のムラを緩和する。本実施形態では、光拡散板１４は、遮蔽板１３に対して発光素子１１及び受光素子１２と反対側に配置されている。なお、光拡散板１４は、遮蔽板１３と同様に、文字盤６２Ｂより大径な円形状に形成されている。
【００２７】
図４に示されるように、回転検出装置１０は、遮蔽板１３における各セグメント１３Ｓの状態を制御する制御基板１５を備えている。制御基板１５は、発光素子１１と受光素子１２にも接続され、発光素子１１に光を照射させるための制御信号を発信し、受光素子１２から検出信号を受信する。そして、制御基板１５は、発光素子１１と遮蔽板１３（複数のセグメント１３Ｓ）とを制御して、１リットル指示部６２の針６２Ｓの位置を検出するための位置検出測定を実行する。位置検出測定の結果は、送受信器１６を介して外部に送信される。
【００２８】
なお、制御基板１５は、位置検出測定に先立ってバックグラウンド測定を実行する。バックグラウンド測定では、発光素子１１に光を照射させないで受光素子１２が検出する光の量が測定される。バックグラウンド測定は、測定周期Ｔ１ごとに行われてもよいし、位置検出測定が所定の回数（例えば、１００回）実行されるごとに行われてもよい。バックグラウンド測定の測定値は、ノイズとして位置検出測定の測定値から差し引かれる。
【００２９】
制御基板１５は、複数のセグメント１３Ｓの状態を制御して、遮蔽板１３に複数の透過パターンを形成し、各透過パターンにおいて位置検出測定を実行する。透過パターンは、針６２Ｓの回転方向で連続する２以上のセグメント１３Ｓが共に透過状態又は非透過状態となるように形成される。
【００３０】
本実施形態では、制御基板１５が形成する透過パターンは、図５（Ａ）と図５（Ｂ）に示される２つとなっている。図５（Ａ）に示される第１の透過パターンでは、第２セグメント１３Ｂと第３セグメント１３Ｃが透過状態となり、第１セグメント１３Ａと第４セグメントＤが非透過状態となる。図５（Ｂ）に示される第２の透過パターンでは、第１セグメント１３Ａと第２セグメント１３Ｂが透過状態となり、第３セグメント１３Ｃと第４セグメント１３Ｄが非透過状態となる。なお、図５（Ａ）及び図５（Ｂ）では、非透過状態のセグメント１３Ｓにハッチングが施されている。
【００３１】
図６には、針６２Ｓの位置と各透過パターンにおける針６２Ｓの見え方の関係が示されている。同図における「針の位置」は、文字盤６２Ｂの指標の位置に対応している。即ち、針６２Ｓの位置が２．５であるとは、図３（Ｂ）に示されるように、針６２Ｓが文字盤６２Ｂの「２」と「３」の指標の真ん中に配置されていることを意味する。
【００３２】
また、図６における「針の見え方」は、受光素子１２が検出する光の量に対応している。即ち、針６２Ｓの全体が透過状態のセグメント１３Ｓと重なる場合、受光素子１２によって検出される光の量は針６２Ｓによって減少される。針６２Ｓの全体が非透過状態のセグメント１３Ｓと重なる場合、検出される光の量は針６２Ｓによって減少されない。針６２Ｓが透過状態のセグメント１３Ｓと非透過状態のセグメント１３Ｓの境界と重なる場合、検出される光の量は針６２Ｓの一部によって若干減少される。同図において、受光素子１２によって検出される光の量が減少されない場合は、針６２Ｓが検出されなかったとして「０」で表され、検出される光の量が若干減少する場合は、針６２Ｓの一部が検出されたとして「０．５」で表され、検出される光の量が減少する場合は、針６２Ｓの全体が検出されたとして「１」で表されている。
【００３３】
図６に示されるように、針６２Ｓの位置が０〜１．２５又は８．７５〜０の範囲にある場合、第１の透過パターンでは針６２Ｓが検出されず、第２の透過パターンで針６２Ｓが検出される。針６２Ｓの位置が１．２５〜３．７５の範囲にある場合、第１の透過パターンと第２の透過パターンの両方で針６２Ｓの全体が検出される。針６２Ｓの位置が３．７５〜６．２５の範囲にある場合、第１の透過パターンで針６２Ｓの全体が検出され、第２の透過パターンでは針６２Ｓが検出されない。針６２Ｓの位置が６．２５〜８．７５の範囲にある場合、第１の透過パターンと第２の透過パターンの両方で針６２Ｓが検出されない。以上から、第１の透過パターンと第２の透過パターンのそれぞれにおける針６２Ｓの検出・非検出によって、針６２Ｓが文字盤６２Ｂのどの範囲に存在するかが分かる。
【００３４】
ここで、例えば、第１の透過パターンで針６２Ｓの一部が検出される場合、その透過パターンでの検出結果だけからでは、針６２Ｓが、第１セグメント１３Ａと第２セグメント１３Ｂの境界に存在するのか、又は、第３セグメント１３Ｃと第４セグメント１３Ｄの境界に存在するのか、が不明となるが、第２の透過パターンでの検出結果と合わせることで、何れの境界に針６２Ｓが存在するのかを特定できる。同様に、第２の透過パターンで針６２Ｓの一部が検出せれる場合も、第１の透過パターンでの検出結果と合わせることで針６２Ｓの位置を特定することができる。
【００３５】
本実施形態の回転検出装置１０では、一定の測定周期Ｔ１ごとに、第１の透過パターンと第２の透過パターンの両方についての位置検出測定が実行される。ここで、水道メータ５０を流れる水の最大流量は予め決まっている。そして、測定周期Ｔ１は、水道メータ５０に最大流量の水が流れたときに針６２Ｓが文字盤６２Ｂを１周するのに要する最短周回時間Ｔ２の４分の１以下となっている。従って、測定周期Ｔ１の間に針６２Ｓが回転できる範囲がセグメント１３Ｓ１つ分の範囲に収まり、針６２Ｓがセグメント１３Ｓの境界を跨いで回転したときに、その針６２Ｓの回転方向が時計方向と反時計方向の何れであるかを判別可能となる。即ち、本実施形態の回転検出装置１０によれば、針６２Ｓの位置だけでなく針６２Ｓの回転方向も検出することが可能となる。
【００３６】
以上説明したように、本実施形態の回転検出装置１０は、遮蔽板１３のセグメント１３Ｓを透過状態又は非透過状態にして第１透過パターンと第２透過パターンを形成し、それぞれの透過パターンで位置検出測定を行うことで、針６２Ｓの位置を検出する。このように、回転検出装置１０によれば、簡易な構成を採用して、針６２Ｓの位置を従来よりも詳細に検出することが可能となる。
【００３７】
しかも、回転検出装置１０では、遮蔽板１３が４つのセグメント１３Ｓに分割されているので、透過パターンを２つ形成するだけで針６２Ｓの位置を検出することが可能となり、位置検出測定の回数を少なくすることができる。
【００３８】
ここで、例えば、１つのセグメント１３Ｓのみが透過状態で残りのセグメント１３Ｓが非透過状態となる透過パターンをセグメント１３Ｓと同じ数の種類だけ形成すれば、針６２Ｓの位置を検出することが可能であるが、セグメント１３Ｓの数が２ｎ（ｎは２以上の自然数）である場合には、以下に説明する通り、透過パターンはｎ種類で十分となる。即ち、針６２Ｓの全体がセグメント１３Ｓと重なる場合、そのセグメント１３Ｓが特定できれば、針６２Ｓの位置が分かることになる。従って、針６２Ｓの回転方向で連続するｎ個のセグメント１３Ｓを透過状態とし、残りのｎ個のセグメント１３Ｓを非透過状態として、遮蔽板１３Ｓが光の透過領域と非透過領域を１つずつ有する透過パターンを１つ形成し、その後、遮蔽板１３における光の透過領域と非透過領域をセグメント１３Ｓ１つ分ずつずらしてｎ種類の透過パターンを形成すれば、そのｎ種類の透過パターンでのセグメント１３Ｓの透過／非透過の状態変化を、全てのセグメント１３Ｓの間で異ならせることが可能となる。図５（Ａ）及び図５（Ｂ）の例では、第１セグメント１３Ａは、第１の透過パターンで非透過状態、第２の透過パターンで透過状態となり、第２セグメント１３Ｂは、第１の透過パターンと第２の透過パターンの両方で透過状態となり、第３セグメント１３Ｃは、第１の透過パターンで透過状態、第２の透過パターンで非透過状態となり、第４セグメント１３Ｄは、第１の透過パターンと第２の透過パターンの両方で非透過状態となる。よって、ｎ種類の透過パターンで針６２Ｓが何れのセグメント１３Ｓと重なっているかを判別することが可能となる。また、針６２Ｓがセグメント１３Ｓ同士の境界と重なる場合、その境界が特定できれば、針６２Ｓの位置が分かることになるが、この場合についても、同様に、ｎ種類の透過パターンで判別することが可能となる。なお、２ｎ個のセグメント１３Ｓは、遮蔽板１３を均等に分割する必要はない。この場合、セグメント１３Ｓの面積の相違に応じて、検出される光量を補正すればよい。
【００３９】
また、回転検出装置１０では、複数のセグメント１３Ｓが遮蔽板１３を均等に分割してなるので、遮蔽板１３を透過する光の量が透過状態のセグメント１３Ｓの数に比例することになり、文字盤６２Ｂに照射する光の量の制御が容易となる。
【００４０】
さらに、回転検出装置１０では、遮蔽板１３が４つのセグメント１３Ｓに均等に分割され、測定周期Ｔ１が、最大流量の水が水道メータ５０に流れたときに針６２Ｓが文字盤６２Ｂを１周するのに要する最短周回時間Ｔ２の４分の１以下になっているので、針６２Ｓの位置だけでなく回転方向も検出することが可能となる。
【００４１】
なお、本実施形態では、針６２Ｓが本発明の「針」に相当し、制御基板１５が本発明の「測定部」に相当する。
【００４２】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４３】
（１）上記実施形態において、光拡散板１４は、遮蔽板１３に対して発光素子１１及び受光素子１２と同じ側に配置されてもよい。また、上記実施形態において、光拡散板１４を備えない構成としてもよい。
【００４４】
（２）上記実施形態では、回転検出装置１０が水道メータ５０に取り付けられる例を示したが、流量に応じて回転する針を備えた流量計に取り付けられればよく、取り付け対象が水道メータに限定されるものではない。
【００４５】
（３）上記実施形態において、１つのセグメント１３Ｓを非透過状態にし、残りのセグメント１３Ｓを透過状態にすることで、透過パターンを形成し、非透過状態にするセグメント１３Ｓを替えることで、４つの透過パターンを形成してもよい。この場合、測定周期Ｔ１ごとに全ての透過パターンについて位置検出測定が行われる。
【００４６】
（４）上記実施形態において、遮蔽板１３は、３つのセグメント１３Ｓに均等に分割されてもよいし、５つ以上のセグメントに均等に分割されてもよい。３つのセグメント１３Ｓに分割される場合には、例えば、図７（Ａ）〜図７（Ｃ）に示される３つの透過パターンを形成することで、針６２Ｓの位置を検出することができる。また、５つのセグメント１３Ｓに分割される場合には、例えば、図８（Ａ）〜図８（Ｃ）に示される３つの透過パターンを形成することで、針６２Ｓの位置を検出することができる。なお、何れの場合においても、最短周回時間Ｔ２をセグメントの数で除した時間以下に測定周期Ｔ１を設定すれば、針６２Ｓの回転方向を判別することができる。
【００４７】
（５）上記実施形態において、遮蔽板１３が均等に分割されず、複数のセグメント１３Ｓが異なる大きさであってもよい。この場合であっても、図９（Ａ）及び図９（Ｂ）に示される第１と第２の透過パターンの２種類の透過パターンで位置検出測定が行われることで、針６２Ｓの位置を検出することができる。なお、複数のセグメント１３Ｓが異なる大きさになると、複数の透過パターンの間で透過状態のセグメント１３Ｓの面積に差が生じるため、その面積の差を考慮して、検出される光量を補正すればよい。また、周方向に最も短いセグメント１３Ｓに合わせて測定周期Ｔ１を設定すれば、針６２Ｓの回転方向を判別することも可能である。
【符号の説明】
【００４８】
１０    回転検出装置
１１    発光素子
１２    受光素子
１３    遮蔽板
１５    制御基板（測定部）
５０    水道メータ（流量計）
６０    表示部
６２    １リットル指示部
６２Ｂ    文字盤
６２Ｓ    針
【図１】
2019078736.tif 000003
【図２】
2019078736.tif 000004
【図３】
2019078736.tif 000005
【図４】
2019078736.tif 000006
【図５】
2019078736.tif 000007
【図６】
2019078736.tif 000008
【図７】
2019078736.tif 000009
【図８】
2019078736.tif 000010
【図９】
2019078736.tif 000011